(57)【要約】【課題】器具の薄型化を図りつつ、所望の配光特性を容易に得ることが可能な照明器具を提供する。【解決手段】設置面１１ａと略直交する面に透光部１１ｂを有する器具本体１１と；器具本体の透光部に向けて順次拡開して開放する断面形状をなす反射体１２と；反射体の焦点ｆに位置して配置される点状の光源１３と；光線を透過し光路を制御する透光体１４と；を具備し、光源から反射体に近い光線を透光部から遠方へ放射し、反射体から順次遠くなる光線を順次透光部の近くになるように光路を制御するようにした照明器具を構成する。【選択図】        図１
2008078015.tif 000002
【特許請求の範囲】
【請求項１】
設置面と略直交する面に透光部を有する器具本体と；
器具本体の透光部に向けて順次拡開して開放する断面形状をなす反射体と；
反射体の焦点に略位置して配置される点状の光源と；
光線を透過し光路を制御する透光体と；
を具備し、光源から反射体に近い光線を透光部から遠方へ放射し、反射体から順次遠くなる光線を順次透光部の近くになるように光路を制御するようにしたことを特徴とする照明器具。
【請求項２】
設置面と略直交する面に透光部を有する器具本体と；
器具本体の透光部に向けて順次拡開して開放する断面形状をなす反射体と；
反射体の焦点に略位置して配置される点状の光源と；
光源からの光線を反射体で反射し、反射した光線を透過して光路を制御するように透光部に設けられる透光体と；
を具備し、反射体および透光体により、光源から反射体に近い光線を透光部から遠方へ放射し、反射体から順次遠くなる光線を順次透光部に近くになるように光路を制御するようにしたことを特徴とする照明器具。
【請求項３】
前記透光体は、光の屈折率が異なる制御部を形成したことを特徴とする請求項２に記載の照明器具。
【請求項４】
設置面と略直交する面に透光部を有する器具本体と；
器具本体の透光部に向けて開放する略放物線状の断面形状をなす反射体と；
順次拡開する反射体に対向して配置される複数の点状の光源と；
光源からの光線を透過し光路を略直線方向に制御して反射体に向けて放射するレンズからなる透光体と；
を具備し、透光体および反射体により複数の光源から放射される光線の内、反射体に近い光線を透光部から遠方へ放射し、反射体から順次遠くなる光線を順次透光部の近くになるように光路を制御するようにしたことを特徴とする照明器具。
【請求項５】
前記複数の光源は、透光部から遠方へ放射する光源の光量を大となし、順次透光部の近くになるように放射する光源の光量を順次小となすように構成したことを特徴とする請求項４に記載の照明器具。
【請求項６】
前記光源は、発光ダイオードで構成したことを特徴とする請求項１ないし５いずれか一に記載の照明器具。
【発明の詳細な説明】
【技術分野】
【０００１】
本発明は、壁面や天井面等を照明する照明器具に関する。
【背景技術】
【０００２】
従来、例えば天井面に設置して壁面などの垂直な面を照明するウォールウォッシャータイプの照明器具がある。
【０００３】
この種の照明器具として、直管形の蛍光ランプを光源とし、ランプの背後に反射鏡を備えた照明器具を、天井面に設けられた長尺の掘り込みに設置し、壁面の幅方向および上下方向の広い面積にわたって、いわゆるウォールウォッシャー照明を行うようにしたものが知られている（例えば、特許文献１参照）。
【０００４】
また、取付角度およびビーム角が互いに異なる複数のＬＥＤ（発光ダイオード）からなる光源を、器具本体の照射開口に向けて取り付けた照明器具を構成し、天井面に形成された埋込孔に下方から埋め込むように設置して、壁面を照明するようにしたものも知られている（例えば、特許文献２参照）。
【特許文献１】特開２００３−２８１９１０号公報
【特許文献２】特開２００４−２４７１４７号公報
【発明の開示】
【発明が解決しようとする課題】
【０００５】
しかしながら、特許文献１に示されるものは、光源として直管形の蛍光ランプを使用しているために器具全体が大型化し、現状ではこれ以上の小型化、薄型化は望めない状況になっている。
【０００６】
また、直管形蛍光ランプの光線を有効に放射させるために、光放射のための透光開口を下面および左方下面に形成している。
【０００７】
このため、光が下面のみならず左方下面からも放射されることになり、例えば、垂直な壁面に直接設置した場合、蛍光ランプが目に入り、眩しく不快に感じてしまう。
【０００８】
このため、この種の照明器具は、ランプが見えないように天井面に設けられた長尺の掘り込みなど、特殊施工を施した天井面等に設置する必要があって、汎用性に劣る問題があり、不快にならない配光を如何に容易に得るかが課題となっている。
【０００９】
また、特許文献２に示されるものは、光源としてＬＥＤを使用しているが、反射板を省略しているために、個々のＬＥＤの取付角度およびビーム角を異ならせて所望の配光特性を得る必要があり構造が複雑化し、さらにＬＥＤの実装配置に手間がかかり製造コストが上昇する問題が生じる。
【００１０】
本発明は、器具の薄型化を図りつつ、所望の配光特性を容易に得ることが可能な照明器具を提供しようとするものである。
【課題を解決するための手段】
【００１１】
上記の目的を達成するために、請求項１に記載の照明器具の発明は、設置面と略直交する面に透光部を有する器具本体と；器具本体の透光部に向けて順次拡開して開放する断面形状をなす反射体と；反射体の焦点に略位置して配置される点状の光源と；光線を透過し光路を制御する透光体と；を具備し、光源から反射体に近い光線を透光部から遠方へ放射し、反射体から順次遠くなる光線を順次透光部の近くになるように光路を制御するようにしたことを特徴とする。
【００１２】
本発明において器具本体は、アルミニウム等の熱伝導性の良好な金属で構成することが放熱性能を増すためには好ましいが、合成樹脂等、他の材料で構成されたものであってもよい。
【００１３】
器具本体は、設置面と略直交する面に透光部を有するが、略直交する面全体が透光部となっていても、一部が透光部となっていても、さらには光線が目に入って眩しくならない程度に、透光部の一部が他の面にわたって形成されているものであってもよい。
【００１４】
透光部は、開放された広口の開口部であっても、多数の透孔によって形成された開口部であっても、さらには合成樹脂やガラス等の透光体で、一部または全体が閉塞されたものであってもよい。
【００１５】
器具本体の形状は、長尺状をなす形状が好ましいが、壁面等の照明用途に合わせて、矩形、多角形、円形等の形状をなしていてもよい。
【００１６】
反射体は、例えば、放物線状の曲線をなす断面形状が好ましいが、楕円を含む略放物線状の曲線等、器具本体の透光部に向けて順次拡開して開放する断面形状の全てが許容される。
【００１７】
反射体は、例えば、ステンレスやアルミニウム等の金属板で構成しても、例えば、ＰＢＴ（ポリブチレンテレフタレート）等の合成樹脂の素材にアルミニウム等の金属膜をコーティングしたり、アルミ箔等を被覆して鏡面に構成したものでもよい。
【００１８】
点状の光源は、フィラメントを有しない半導体発光素子で、例えば発光ダイオードや半導体レーザなどを許容する。
【００１９】
さらに、半導体発光素子に限らず、小型の電球やハロゲン電球等の白熱電球でもよく、点状の光源をなす全ての光源が許容される。
【００２０】
光線を透過し光路を制御する透光体は、厚みのある透明なアクリル樹脂等の合成樹脂または透明なガラス等、光を屈折するために厚みのある板材で構成されていても、または光源の光を略直線方向に制御するレンズ等で構成されていてもよい。
【００２１】
請求項２に記載の照明器具の発明は、設置面と略直交する面に透光部を有する器具本体と；器具本体の透光部に向けて順次拡開して開放する断面形状をなす反射体と；反射体の焦点に略位置して配置される点状の光源と；光源からの光線を反射体で反射し、反射した光線を透過して光路を制御するように透光部に設けられる透光体と；を具備し、反射体および透光体により、光源から反射体に近い光線を透光部から遠方へ放射し、反射体から順次遠くなる光線を順次透光部に近くになるように光路を制御するようにしたことを特徴とする。
【００２２】
請求項３に記載の発明は、請求項２に記載の照明器具において、前記透光体は、光の屈折率が異なる制御部を形成したことを特徴とする。
【００２３】
請求項４に記載の照明器具の発明は、設置面と略直交する面に透光部を有する器具本体と；器具本体の透光部に向けて開放する略放物線状の断面形状をなす反射体と；順次拡開する反射体に対向して配置される複数の点状の光源と；光源からの光線を透過し光路を略直線方向に制御して反射体に向けて放射するレンズからなる透光体と；を具備し、透光体および反射体により複数の光源から放射される光線の内、反射体に近い光線を透光部から遠方へ放射し、反射体から順次遠くなる光線を順次透光部の近くになるように光路を制御するようにしたことを特徴とする。
【００２４】
請求項５に記載の発明は、請求項４に記載の照明器具において、前記複数の光源は、透光部から遠方へ放射する光源の光量を大となし、順次透光部の近くになるように放射する光源の光量を順次小となすように構成したことを特徴とする。
【００２５】
請求項６に記載の発明は、請求項１ないし５いずれか一に記載の照明器具において、前記光源は、発光ダイオードで構成したことを特徴とする。
【発明の効果】
【００２６】
請求項１の発明によれば、光源を点状の光源で構成し、光源から反射体に近い光線を透光部から遠方へ放射し、反射体から順次遠くなる光線を順次透光部の近くになるように光路を制御するようにした。
【００２７】
このため、光源として発光ダイオード等の小型光源を採用することが可能となり、薄型化を図った照明器具を提供することができる。
【００２８】
器具本体は、設置面と略直交する面に透光部を有し、反射体は器具本体の透光部に向けて順次拡開して開放する断面形状をなすとする構成とし、点状の光源を反射体の焦点に略位置して配置した簡易な構成としたので、器具の薄型化を図りつつ、所望の配光特性を容易に得ることが可能な照明器具を提供することができる。
【００２９】
請求項２の発明によれば、光源を点状の光源で構成し、光源からの光線を反射体で反射し、反射した光線を透過して光路を制御するように透光部に設けられる透光体を具備する構成としたので、光源として発光ダイオード等の小型光源を採用することが可能となり、さらに、光源個々に光路を制御するためのレンズ等からな透光体を設ける必要がなく、光源部分の構成を簡素化することができ、より一層器具の薄型化を図りつつ、所望の配光特性を容易に得ることが可能な照明器具を提供することができる。
【００３０】
請求項３の発明によれば、透光体は、光の屈折率が異なる制御部を形成したので、光源から反射体に近い光線を透光部から遠方へ放射し、反射体から順次遠くなる光線を順次透光部の近くになるように光路を確実に制御して、器具の薄型化を図りつつ、所望の配光特性を容易に得ることが可能となる。
【００３１】
請求項４の発明によれば、光源を点状の複数の光源で構成し、光源からの光線を透過し光路を略直線方向に制御して反射体に向けて放射するレンズからなる透光体を具備する構成としたので、光源から反射体に近い光線を透光部から遠方へ放射し、反射体から順次遠くなる光線を順次透光部の近くになるように光路を確実に制御して、器具の薄型化を図りつつ、所望の配光特性を容易に得ることが可能となる。
【００３２】
請求項５の発明によれば、複数の光源は、透光部から遠方へ放射する光源の光量を大となし、順次透光部の近くになるように放射する光源の光量を順次小となすように構成したので、光源から反射体に近い光線を透光部から遠方へ放射し、反射体から順次遠くなる光線を順次透光部の近くになるように光路をより一層確実に制御して、器具の薄型化を図りつつ、所望の配光特性を容易に得ること可能となる。
【００３３】
請求項６の発明によれば、光源は、発光ダイオードで構成したので、より一層薄型化を図った照明器具を提供することができる。
【発明を実施するための最良の形態】
【００３４】
以下、本発明に係る照明器具の実施形態について説明する。
【実施例１】
【００３５】
図１〜図３は、本発明の第１実施形態の照明器具を示し、図１は縦断面図、図２は図１のＡ−Ａ線に沿う正面視の断面図、図３は照明器具を天井面に設置した状態を示す縦断面図である。
【００３６】
本実施例の照明器具は、店舗等に用いられるウォールウォッシャータイプの照明器具として構成されたものである。
【００３７】
図１〜図２に示すように、照明器具１０は、器具本体１１、反射体１２、光源１３および透光体１４で構成する。
【００３８】
以下、図３に示すように、照明器具１０を天井面Ｘに設置し、光源１３が上、反射体１２を下とした状態で説明する。
【００３９】
器具本体１１は、放熱板の機能を有し、アルミニウム等の熱伝導性の良好な金属で、断面が略Ｔ字形をなす肉厚で長尺状をなす形状に構成し、上面を平坦な面にして設置面１１ａを形成し、一方（図１中右方）の側面を開放して透光部１１ｂを形成する。
【００４０】
設置面１１ａの裏側に光源配設部１１ｃを形成し、光源である発光ダイオード１３（以下「ＬＥＤ」と称す）を配設する。
【００４１】
ＬＥＤ１３は点状の光源をなし、１個または複数個、本実施例では６個の白色ＬＥＤで構成し、各ＬＥＤは配線基板１３ａに実装され、アルミニウム等、熱伝導性の良好な金属で構成された放熱板からなる器具本体１１と共に、光源配設部１１ｃにネジ等の固定手段によって強固に密着して固定する。
【００４２】
この６個のＬＥＤ１３が、長尺な器具本体１１の長手方向に均等な間隔をもって配置され、ライン状のモジュールを構成する（図２）。なお、６個の各ＬＥＤにおける配置角度は、全て同一にして配置する。
【００４３】
器具本体１１の他方の側壁部分１１ｄには、複数の放熱フィン１１ｅを外方に向けて一体に突出して形成する。
【００４４】
反射体１２は、ＰＢＴ（ポリブチレンテレフタレート）等の不透明な合成樹脂からなり、その上面に放物線状の曲線をなす断面形状の反射面１２ａを樹脂成形時に一体に形成し、反射面１２ａにはアルミニウムの金属膜をコーティングして鏡面状態に仕上げる。
【００４５】
反射体１２は、反射面１２ａが上方に向くようにして器具本体１１内に収納される。反射体１２の焦点ｆに点状の光源であるＬＥＤ１３の中心部が略位置するようにし、さらに、放物線状の曲線をなす断面形状の反射面１２ａが器具本体１１の透光部１１ｂに向けて順次拡開して開放するように位置させて設置する。
なお、本実施例において反射面１２ａは、開放端に向けて、逆に順次狭まるようにやや傾斜させて形成している。
【００４６】
反射体１２の下面部分１２ｂは、器具本体１の側壁部分１１ｄの下端面と面一となるように形成して、器具本体１１下面の飾り銘板となるカバーケースを兼用するように構成する。
【００４７】
透光体１４は、無色透明のポリカーボネート等の肉厚の合成樹脂で、断面が逆Ｌ字形の長尺をなす形状に構成し、その逆Ｌ字形の開放部分を器具本体１１の透光部１１ｂに対向させるように位置させ、透光部を閉塞するようにして取り付ける。
【００４８】
すなわち、透光体１４の逆Ｌ字形の先端部分１４ａを器具本体１１の透光部１１ｂの上縁部に当接し、下端部分に溝１４ｂを形成して反射体１２の開放部分に形成された突状１２ｄを嵌合して固定する。
【００４９】
透光体１４は、その先端部分１４ａを器具本体１１の設置面１１ａと面一となるように、また下端部分を反射体１２の下面部分１２ｃと面一となるように形成して、器具本体１１上面および側面のカバーケースを兼用するように構成する。
【００５０】
なお、器具本体１１の両端面部は不透明な合成樹脂からなる端板１１ｆ、１１ｆで閉塞されている（図２）。
【００５１】
これにより、設置面１１ａと略直交する面に、透光体１４を設けた透光部１１ｂを有する器具本体１１が構成される。
【００５２】
透光体１４の逆Ｌ字形の連結部分には、内面側が図１中、右上方に傾斜し断面形状が略台形をなす形状に形成され、透過する光の屈折率を他の部分と異ならせた制御部１４ｃを一体に形成する。
【００５３】
なお、反射体１２、透光体１４および端板１１ｆ、１１ｆの器具本体１１への固定は、ネジ等の固定手段、またはシリコーン樹脂等の耐熱性の接着剤を用いて固定する。
【００５４】
なお、上記に構成した各ＬＥＤ１３には、図示しない電源線が接続され、電源線は器具本体１１を貫通して外部に導出され、別途に構成した電源部（図示せず）に接続される。
【００５５】
上記により、長尺状、本実施例では約３００ｍｍの長さを有し、設置面１１ａと略直交する面に透光部１１ｂを有する器具本体１１の中に、光源である６個のＬＥＤ１３、反射体１２等が収納された横長ライン状の箱形をなす、小型で薄型化を図った照明器具１０が構成される。
【００５６】
上記に構成された照明器具１０は、図３に示すように天井面Ｘの一端部側に、器具本体１１の設置面１１ａを天井面に当接させた状態で、ネジ等の別個の取り付け具によって固定することにより直付けで設置される。
【００５７】
これにより、器具本体１１の透光部１１ｂが、天井面に対して略平行する方向で、かつ広い天井面に向かって開口し、下面には器具本体１１下面のカバーケースを兼ねる反射体１２の下面部分１２ｃが面し、下方からは光源であるＬＥＤ１３および透光部１１ｂが見えない状態で設置される。
【００５８】
なお、天井面に設置する際には、器具として下記に示す所望の配光特性がすでに設定されているので、ＬＥＤモジュール等の設置角度を調整するような作業をせずに設置する。
【００５９】
上記に構成された照明器具の配光特性につき、図３に従い説明する。
【００６０】
照明器具１０に対し、別置きの電源部から電源線を介して各ＬＥＤ１３に電源を供給すると、点状の光源であるＬＥＤ１３が発光し、一方向、本実施例では主として下方に向けて光線が放射される。
【００６１】
ＬＥＤ１３から放射された光線は、反射体１２の反射面１２ａで反射され、透光体１４を透過して器具本体１１の透光部１１ｂから広い天井面Ｘに向かって放射される。
【００６２】
すなわち、反射体１２に近い光線群ａは、放物線状の曲線をなす断面形状の反射面１２ａの奥の部分で反射され、透光体１４の略台形をなす制御部１４ｃで屈折されて透光部１１ｂから遠方へ向かって放射される。
【００６３】
また、反射体１２から遠い光線郡ｂは、反射面１２ａの開放端部側で反射され、制御部１４ｃを含めた透光体１４で屈折されて透光部１１ｂに近い側に向かって放射される。
【００６４】
この際、設置面１１ａ側に向かう光線は、制御部１４ｃによって屈折され、透光部１１ｂに、より近い部分に放射される。
【００６５】
さらに、反射体１２から略中間の距離に位置する光線群ｃは、反射面１２ａの略中間部分で反射され、主として透光体１４の制御部１４ｃで屈折されて透光部１１ｂから近い側と遠方との略中間部分に向かって放射される。
【００６６】
これにより、各ＬＥＤ１３から放射された光線は、反射体１２および透光体１４によって、反射体１２に近い光線群ａを透光部１１ｂから遠方へ放射し、反射体１２から順次遠くなる光線群ｂ、ｃを順次透光部１１ｂに近くになるように光路が制御された所望の配光特性が構成される。
【００６７】
この配光特性は、器具本体１１の設置面１１ａと略直交する面に透光部１１ｂを設け、反射体１２を器具本体の透光部に向けて順次拡開して開放する断面形状をなし、各ＬＥＤ１３を反射体の焦点ｆに位置させる簡易な構成により、器具の薄型化を図りつつ、所望の配光特性を容易に得ることができる。
【００６８】
この配光特性により、ウォールウォッシャー照明として使用する場合、使用する場所、必要な場所のみ等、必要な照明領域に対する的確な照明が行える。
【００６９】
また、その照明状態は、広い天井の必要な照明領域に対して、光量の少ないＬＥＤの光を無駄なく照射でき、照度ムラ、色ムラ等のない均一なウォールウォッシャー照明が行える。
【００７０】
光源であるＬＥＤ１３は、反射体１２および器具本体で覆い隠すことができ、下方からは光源である各ＬＥＤ１３および透光部１１ｂが見えない状態で設置され、眩しさを感じることがない。
【００７１】
一方、点灯時に各ＬＥＤ１３から発生する熱は、ＬＥＤの基板１３ａからアルミニウムで構成された器具本体１１に伝達されて外部に放熱される。この際、器具本体１１の側壁部分１１ｄに一体に複数の放熱フィン１１ｅを形成したので放熱面積が広くなりより一層効果的に放熱される。
【００７２】
なお、本実施例の照明器具１０は、後述する実施例２の図６に示すように垂直な壁面Ｙに設置し、壁面へのウォールウォッシャー照明を行うこともできる。
【００７３】
この場合は、器具本体１１の透光部１１ｂが下方に面するように壁面Ｙに直付けで設置する。
【００７４】
これにより、上記天井面Ｘに設置されたと同様に、垂直な壁面Ｙを効果的に照明することができる。
【００７５】
また、この場合も照明器具１０は薄型化されており、下方からは光源であるＬＥＤ１３および透光部１１ｂが見えない状態で設置され、眩しさを感じることがない。
【００７６】
これにより、照明器具１０は、天井面Ｘにも壁面Ｙに対しても格別な掘り込み等の施工作業を伴うことなく、直付けすることができ自由に設置することができる。
【００７７】
本実施形態によれば、光源を点状の光源であるＬＥＤ１３で構成することができ、小型で薄型化を図った照明器具を提供することができる。
【００７８】
さらに、ＬＥＤ個々に光路を制御するためのレンズ等からなる透光体を設けずに、透光部１１ｂに設けられる１個の透光体１４により構成したので、光源部分の構成を簡素化することができ、より一層小型で薄型化を図ることが可能となる。
【００７９】
器具本体１１の設置面１１ａと略直交する面に透光部１１ｂを設け、反射体１２を器具本体の透光部に向けて順次拡開して開放する断面形状をなし、各ＬＥＤ１３を反射体の焦点ｆに位置させる簡易な構成により、器具の薄型化を図りつつ、所望の配光特性を容易に得ることができる。
【００８０】
また、器具全体として薄型化された構成となり、設置スペースの問題やデザイン的な制約を受けない小型の照明器具を提供することができる。
【００８１】
また、反射体１２および反射した光線を透過して光路を制御する透光体１４により、ＬＥＤ１３から反射体１２に近い光線を透光部１１ｂから遠方へ放射し、反射体１２から順次遠くなる光線を順次透光部１１ｂに近くになるように光路を制御するようにしたので、器具自体で配光制御がなされた構成となり、ウォールウォッシャー照明として使用する場合、使用する場所、必要な場所のみの照明を行うことができる。また、その照明状態は、照度ムラ、色ムラ等のない均一なウォールウォッシャー照明等を提供することができる。
【００８２】
また、天井や壁面等に設置する際に、設置角度を調整するような作業を不要となすこともでき設置作業を容易となすこともできる。
【００８３】
器具本体１１は、設置面１１ａと略直交する面に透光部１１ｂを有し、反射体１２は器具本体１１の透光部１１ｂに向けて順次拡開して開放する断面形状をなす構成とし、ＬＥＤ１３を反射体１２の焦点ｆに略位置して配置した構成としたので、ＬＥＤを反射体１２および器具本体１１で覆い隠すことができ、眩しさを防ぐことが可能となる。
【００８４】
このため照明器具１０の設置場所は特殊施工を施した天井面等に制限されず、自由な位置に設置することができ汎用性に優れた照明器具を提供することができる。しかも天井面や壁面に直付けすることも可能になる。
【００８５】
特に、上記のように器具自体の小型化、薄型化に合わせ、従来設置することができなかった小スペースであっても設置が可能となり、より一層汎用性を増すことができる。
【００８６】
また、点状の光源であるＬＥＤ１３は、反射体１２の焦点ｆに略位置して配置した構成としたので、ＬＥＤ１３の発光部前面に反射体１２を位置させることができ、光量の少ないＬＥＤの光量をロスなく使用することができ、かつ反射板で反射させた間接光となすことができ、より一層、照度ムラ、色ムラ等のない均一なウォールウォッシャー照明等を提供することができる。
なお、本実施例において、反射面１２ａを開放端に向けて、逆に順次狭まるようにやや傾斜させて形成しているので、照明器具の透光部１１ｂに近い部分を制御部１４ｃと共に主として補い、より一層、照度ムラ、色ムラ等のない均一なウォールウォッシャー照明等を提供することができる。
【００８７】
また、ＬＥＤ１３は反射体１２および器具本体１１で覆うことができ、ＬＥＤ自体、さらにはＬＥＤ点灯用の配線基板１３ａ等を覆い隠すことができ、塵埃等から守ることができる。
【００８８】
また、従来のように、個々のＬＥＤの取付角度およびビーム角を異ならせて配光特性を得る必要がなく、構造が簡素化され複雑化することがなく、さらにＬＥＤの実装配置が容易で製造コストが上昇する恐れもなく、コスト的にも有利な照明器具を提供することができる。
【００８９】
また、放熱フィン１１ｅにより効果的な放熱が行われて各ＬＥＤ１３の温度上昇が抑制され、発光効率の低下を防止することができると共に、光束の減少を防ぐことができ、光りの色ずれが生じたりすることがなく、所望の演色効果をもって展示物等の照明を行うことができる。同時に、ＬＥＤ１３の温度上昇が抑制されるので、結果としてＬＥＤには、より大なる電力を投入することができ、より明るい照明を行うようにすることも可能となる。
【００９０】
反射体１２および透光体１４でカバーケースを兼用する構成としたので、器具本体１１のみを高価なアルミニウム製となし、他は比較的安価な合成樹脂製とすることができ、コスト的に安価な照明器具を提供することができる。
【００９１】
本実施形態において、各ＬＥＤ１３は白色ＬＥＤで構成したが、照明器具の用途に応じ、赤色（Ｒ）、緑色（Ｇ）、青色（Ｂ）等で発光するＬＥＤで構成してもよい。若しくはこれらを混合して使用してもよい。
【００９２】
反射体１２は、反射面１２ａを樹脂成形時に一体に形成し、反射面１２ａにはアルミニウムの金属膜をコーティングして鏡面状態に仕上げて構成したが、アルミニウムのダイカストで構成しＬＥＤからの熱を、配線基板１３ａからダイカスト製の反射体に伝達させて放熱させるようにしてもよい。
【００９３】
さらに、反射体１２をステンレスやアルミニウム等の金属板をプレス加工して構成してもよい。
【００９４】
ＬＥＤの配線基板１３ａや器具本体１１の内面部分の表面を鏡面に加工して、配線基板側などに漏れる光を反射させるようにして、光ロスをさらに低減させるようにしてもよい。
【００９５】
反射体１２および透光体１４の器具本体１１への固定は、ネジ等の固定手段、またはシリコーン樹脂等の耐熱性に接着剤を用いて固定したが、着脱が可能な手段で固定し、分解、修理が容易に行えるように構成してもよい。
【００９６】
電源部は、別置きに構成したが、器具本体１１と一体に構成してもよい。
【実施例２】
【００９７】
図４〜図７は、本発明の第２実施形態の照明器具を示し、図４は縦断面図、図５は図４のＢ−Ｂ線に沿う正面視の断面図、図６は照明器具を壁面に設置した状態を示す縦断面図、図７は変形例を示す正面視の断面図である。
【００９８】
なお、図４〜図７には、実施例１の図１〜図３と同一部分には同一符号を付してその説明は省略する。
【００９９】
本実施例の照明器具は、実施例１と同様に店舗等に用いられるウォールウォッシャータイプの照明器具１０として構成され、垂直な壁面Ｙに設置したもので、点状の光源である複数のＬＥＤ１３を、順次拡開する反射体１２に対向して縦、横マトリックス状に配置し、さらに光路を制御する透光体をＬＥＤの前面に設けたレンズ１４´で構成し、レンズによりＬＥＤからの光線を略直線方向に制御して反射体１２に向けて放射させ、反射体により複数のＬＥＤから放射される光線の内、反射体１２に近い光線を透光部１１ｂから遠方へ放射し、反射体１２から順次遠くなる光線を順次透光部１１ｂの近くになるように光路を制御し、器具の薄型化を図りつつ、所望の配光特性を容易に得るようにしたものである。
【０１００】
以下、図６に示すように、照明器具１０を垂直な壁面Ｙに設置し、光源１３が上、透光部１１ｂを下とした状態で説明する。
【０１０１】
器具本体１１は、設置面１１ａとなる一側面をアルミニウム等熱伝導性の良好な金属で構成し、他の面を同様の金属または不透明な合成樹脂で構成した長尺状の箱体として構成し、実施例１と同様に横長ライン状の箱形をなす、小型で薄型化を図った照明器具１０を構成するようにする。
【０１０２】
設置面１１ａと略直交する面、すなわち箱体の下面を開放して透光部１１ｂを形成する。透光部はガラス、または透明なポリカーボネート等の合成樹脂で閉塞してもよい。
【０１０３】
反射体１２は、ステンレス等の金属板で構成し、放物線状の曲線をなす断面形状の反射面１２ａが器具本体１１の透光部１１ｂに向けて順次拡開して開放するように位置させて収納し設置する。
【０１０４】
点状の光源である複数のＬＥＤ１３は、器具本体１１の一側面、すなわちアルミニウム等の熱伝導性の良好な金属で構成した設置面１１ａの裏側に配線基板１３ａを介して配設する。
【０１０５】
すなわち、順次拡開する反射体１２の上部に対向する配線基板１３ａの位置にＬＥＤ１３Ａを、中間部に対向する位置にＬＥＤ１３Ｂ、さらに下部に対向する位置にＬＥＤ１３Ｃを順次縦に配置し、さらに、各ＬＥＤ１３Ａ、１３Ｂ、１３Ｃは、長尺な器具本体１１の長手方向に沿って横に６個ずつを配置する。
【０１０６】
これにより、図５に示すように、合計１８個のＬＥＤが横Ａ、Ｂ、Ｃの３行、縦６列のマトリックス状に略等間隔に配置される。なお、１８個の各ＬＥＤにおける配置角度は、全て同一にして配置する。
【０１０７】
透光体１４は、上記１８個の各ＬＥＤの前面に狭角レンズ１４´を設けて構成する。
【０１０８】
上記に構成された照明器具１０を点灯すると、図６に示されるように、各ＬＥＤから放射された光線は、狭角レンズ１４´を透過して略水平な直線方向に屈折して制御され、反射体１２に向けて放射される。
【０１０９】
これにより、上の行Ａの各ＬＥＤ１３Ａから放射される反射体１２に近い光線群ａは、放物線状の曲線をなす断面形状の反射面１２ａの上方の部分で反射され、透光部１１ｂから遠方へ向かって放射される。
【０１１０】
また、下の行Ｃの各ＬＥＤ１３Ｃから放射される反射体１２から遠い光線群ｂは、反射面１２ａの開放端部側で反射され、透光部１１ｂに近い側に向かって放射される。
【０１１１】
さらに、中間の行Ｂの各ＬＥＤ１３Ｂから放射される反射体１２から略中間の距離に位置する光線群ｃは、反射面１２ａの略中間部分で反射され、透光部１１ｂから近い側と遠方との略中間部分に向かって放射される。
【０１１２】
これによって、レンズ１４´および反射体１２により各ＬＥＤから放射される光線の内、反射体１２に近い光線群ａを透光部１１ｂから遠方へ放射し、反射体１２から順次遠くなる光線群ｂ、ｃを順次透光部１１ｂの近くになるように光路が制御された所望の配光特性が構成される。
【０１１３】
この配光特性は、器具本体１１の設置面１１ａと略直交する面に透光部１１ｂを設け、反射体１２を器具本体の透光部に向けて順次拡開して開放する断面形状をなし、ＬＥＤ１３からの光線を透過し光路を略直線方向に制御して反射体に向けて放射するレンズを設ける簡易な構成により、器具の薄型化を図りつつ、所望の配光特性を容易に得ることができる。
【０１１４】
これにより、上述した実施例１と略同様な配光特性を有する照明器具１０が構成され、ウォールウォッシャー照明として使用する場合、使用する場所、必要な場所のみ等、必要な照明領域に対する的確な照明が行える。また、その照明状態は、広い壁面の必要な照明領域に対して、照度ムラ、色ムラ等のない均一なウォールウォッシャー照明が行える。
【０１１５】
本実施例によれば、光源である各ＬＥＤをマトリックス状に配置して構成したので、行毎にＬＥＤの照射角度や光量を調節することが可能になり、より確実な配光特性を設定することができ、必要な照明領域に対する的確な照明が行え、さらにより照度ムラ、色ムラ等のない均一なウォールウォッシャー照明を行うことができる。
【０１１６】
さらに、Ａ、Ｂ、Ｃの各行毎に光量を変えて調整してもよい。例えば、Ａ行の光量を大、Ｂ行の光量を中、Ｃ行の光量を小、すなわち、器具の設置位置から照射面までの距離が遠い部分を照明するＬＥＤの光量を大とし、順次透光部の近くになるように放射する光源の光量を順次小となすことで、より照射面を均一に照明することができる。
【０１１７】
さらに、本実施例によれば、各ＬＥＤがマトリックス状に多数設けられていることから、赤色（Ｒ）、緑色（Ｇ）、青色（Ｂ）に発光するＬＥＤを組み合わせて、各種の演色性を持たせたウォールウォッシャー照明を行うことも可能となる。
【０１１８】
例えば、図７に示すように、Ａ行に赤色発光ＬＥＤ１３Ｒ、Ｂ行に緑色発光ＬＥＤ１３Ｇ、Ｃ行に青色発光ＬＥＤ１３Ｂ´を配置し、各行のＬＥＤの光量を手動または自動で調整できるように構成する。
【０１１９】
例えば、通常は、各ＬＥＤの光量を同じにして、白色の光線を放射し壁面を白色に照明する。
【０１２０】
冬場等に暖かみのある照明を行いたい場合には、光量を調整してＡ行の赤色発光ＬＥＤ１３Ｒの光量を多くする。これにより、壁面に対して器具の設置位置から照射面までの距離が遠い部分を、赤みを帯びた暖かみのある照明をすることができる。
【０１２１】
また、夏場等涼しげな照明を行う場合には、Ｃ行の青色発光ＬＥＤ１３Ｂ´の光量を多くし、壁面に対して器具の設置位置から照射面までの距離が近い部分を、青みを帯びた涼しげな照明にする。
【０１２２】
新緑の季節には、Ｂ行の緑色発光ＬＥＤ１３Ｇの光量を多くして、壁面の略中間部分を、緑色を帯びた照明にすることができる。
【０１２３】
また、上記ではＡ、Ｂ、Ｃ３行の行毎に赤色（Ｒ）、緑色（Ｇ）、青色（Ｂ）に発光するＬＥＤを配置して、壁面の上下方向に演色性を持たせる照明を行うようにしたが、６列の列毎に赤色（Ｒ）、緑色（Ｇ）、青色（Ｂ）に発光するＬＥＤを配置して壁面の左右方向に演色性を持たせた照明を行うようにしてもよい。
【０１２４】
さらに、壁面全体の色が変わるように赤色（Ｒ）、緑色（Ｇ）、青色（Ｂ）に発光するＬＥＤをランダム等に配置して、壁面全体に左右方向、上下方向の両方に演色性を持たせた照明を行うようにしてもよい。
【０１２５】
なお、本実施例の照明器具も実施例１の図３と同様に、天井面Ｘに設置して使用することもでき、上記と同様の作用効果を奏することができる。
【０１２６】
以上、その他、本実施例における他の構成、作動、作用効果、変形例等は、実施例１と同様である。
【０１２７】
上記各実施例の照明器具は、店舗等に用いられるウォールウォッシャータイプの照明器具として構成したが、家庭用、施設、業務用等の各種室内外のウォールウォッシャータイプの照明器具として構成してもよい。さらには、舞台、スタジオなどでホリゾント面を照射するホリゾントライトなどを構成するようにしてもよい。
【０１２８】
以上、本発明の好適な実施形態を説明したが、本発明は上述の各実施例に限定されることなく、本発明の要旨を逸脱しない範囲内において、種々の設計変更を行うことができる。
【図面の簡単な説明】
【０１２９】
【図１】本発明の第１実施形態の照明器具を示す縦断面図。
【図２】同じく図１のＡ−Ａ線に沿う正面視の断面図。
【図３】同じく照明器具を天井面に設置した状態を示す縦断面図。
【図４】本発明の第２実施形態の照明器具を示す縦断面図。
【図５】同じく図４のＢ−Ｂ線に沿う正面視の断面図。
【図６】同じく照明器具を壁面に設置した状態を示す縦断面図。
【図７】同じく照明器具の変形例を示す正面視の断面図。
【符号の説明】
【０１３０】
１０  照明器具
１１  器具本体
１１ａ  設置面
１１ｂ  透光部
１２  反射体
１３  光源
１４  透光体
ｆ    焦点
【図１】
2008078015.tif 000003
【図２】
2008078015.tif 000004
【図３】
2008078015.tif 000005
【図４】
2008078015.tif 000006
【図５】
2008078015.tif 000007
【図６】
2008078015.tif 000008
【図７】
2008078015.tif 000009